(57)【要約】【課題】  踏みつけなどによる局所的な圧力に対する耐性のある床面設置用ＩＣタグを提供する。【解決手段】  ＩＣチップ２とアンテナコイル３とを平面的に並べて樹脂シート１，５でラミネートしたＩＣタグにおいて、上記ＩＣチップ２及びアンテナコイル３の近隣にこれらＩＣチップ２及びアンテナコイル３よりも厚さの厚い補強材４を配置することにより、圧力をもっぱら補強材４で受ける。【選択図】        図１
2005100114.tif 000002
【特許請求の範囲】
【請求項１】
ＩＣチップとアンテナコイルとを平面的に並べて樹脂シートでラミネートしたＩＣタグにおいて、上記ＩＣチップ及びアンテナコイルの近隣にこれらＩＣチップ及びアンテナコイルよりも厚さの厚い補強材を配置したことを特徴とする床面設置用ＩＣタグ。
【請求項２】
上記樹脂シートの上面にゴムシート製誘導タイルを重ねたことを特徴とする請求項１記載の床面設置用ＩＣタグ。
【請求項３】
上記樹脂シートの上面と上記ゴムシート製誘導タイルとをブチルテープで貼り合わせたことを特徴とする請求項２記載の床面設置用ＩＣタグ。
【請求項４】
上記樹脂シートの下面と床面とをブチルテープで貼り合わせたことを特徴とする請求項１〜３いずれか記載の床面設置用ＩＣタグ。
【発明の詳細な説明】
【技術分野】
【０００１】
本発明は、床面に配置するＩＣタグに係り、踏みつけなどによる局所的な圧力に対する耐性のある床面設置用ＩＣタグに関する。
【背景技術】
【０００２】
ＲＦＩＤは、非接触での自動認識を行う技術であり、その用途は様々な分野に拡大しつつある。ＲＦＩＤに用いるＩＣタグは、カードやタグの形状に形成され、人が持ったり物に固定されたりして使用される。特許文献１では、ＩＣタグが床面に配置されて人や物の経路誘導や位置情報提供に利用されている。
【０００３】
【特許文献１】特開２００２−１６５８２５号公報
【発明の開示】
【発明が解決しようとする課題】
【０００４】
ＩＣタグを床面に配置する場合、ゴムシート製誘導タイルやマット、絨毯等の敷物の下にＩＣタグを配置することになるので、薄型のＩＣタグであることが要求される。薄型のＩＣタグの構造としては、ＩＣチップとアンテナコイルとを平面的に並べて、ＰＶＣ、ＰＥＴＧ等の樹脂シートで熱プレスラミネートしたもの、熱接着剤付きシートを重ねてロールラミネートしたものが考えられる。例えば、図６に示されるように、ベースシート１の上面にＩＣチップ２とアンテナコイル３とを載置し、その上面を熱接着剤付きＰＥＴフィルム５でラミネート封止する。
【０００５】
しかし、このような構造は、踏みつけなどによる局所的な圧力に対する耐性が考慮されていない。図示のように、ＩＣチップ２やアンテナコイル３のところがその近隣よりも厚みが若干厚くなっている。このため、踏みつけなどによる局所的な圧力がＩＣチップ２やアンテナコイル３に加わりやすくなっている。従って、図６の構造のＩＣタグは、床面に配置すると、人に踏まれることなどによってＩＣチップ２の破損やアンテナコイル３の断線といった不具合が生じる可能性が高い。
【０００６】
一方、ＩＣタグの圧力に対する耐性を高める構造として、樹脂注型や射出成形などで強固な封止構造としたものも考えられる。例えば、図７に示されるように、壁で囲まれた樹脂ケース７１の底部にＩＣチップ２とアンテナコイル３とを載置し、その上から熱硬化性樹脂７２を充填する。しかし、このようなＩＣタグは、薄型化が困難であるため、ゴムシート製誘導タイルの下に敷くには厚すぎ、敷設するにはＩＣタグの厚さのスペースを予め考慮した床面を用意しなくてはならない。
【０００７】
そこで、本発明の目的は、上記課題を解決し、踏みつけなどによる局所的な圧力に対する耐性のある床面設置用ＩＣタグを提供することにある。
【課題を解決するための手段】
【０００８】
上記目的を達成するために本発明は、ＩＣチップとアンテナコイルとを平面的に並べて樹脂シートでラミネートしたＩＣタグにおいて、上記ＩＣチップ及びアンテナコイルの近隣にこれらＩＣチップ及びアンテナコイルよりも厚さの厚い補強材を配置したものである。
【０００９】
上記樹脂シートの上面にゴムシート製誘導タイルを重ねてもよい。
【００１０】
上記樹脂シートの上面と上記ゴムシート製誘導タイルとをブチルテープで貼り合わせてもよい。
【００１１】
上記樹脂シートの下面と床面とをブチルテープで貼り合わせてもよい。
【発明の効果】
【００１２】
本発明は次の如き優れた効果を発揮する。
【００１３】
（１）ＩＣタグに加わる局所的な圧力を補強材が受けるので、ＩＣチップやアンテナコイルは圧力を避けることができる。
【発明を実施するための最良の形態】
【００１４】
以下、本発明の一実施形態を添付図面に基づいて詳述する。
【００１５】
図１に示されるように、本発明に係る床面設置用ＩＣタグ（以下、単にＩＣタグという）１１は、ＰＥＴフィルムからなるベースシート１上に、ＩＣチップ（ＩＣモジュールともいう）２とアンテナコイル３が配置され、さらに、ＩＣチップ２の近隣及びアンテナコイル３の近隣には、これらＩＣチップ２及びアンテナコイル３を取り囲むようにＩＣチップ２及びアンテナコイル３よりもやや厚さの厚い補強材４が配置され、これらＩＣチップ２、アンテナコイル３及び補強材４の上、即ち外層には熱接着剤付きＰＥＴフィルムからなるカバーシート５が被せてラミネート封止されている。この例では、矩形状のベースシート１の外周辺のやや内側にアンテナコイル３が矩形状に巡らせて配置されており、そのアンテナコイル３の一辺に沿わせてＩＣチップ２が配置されている。補強材４は、アンテナコイル３の外側を矩形状に囲むものと、アンテナコイル３の内側をＩＣチップ２のところだけ迂回して凹字状に囲むものとが設けられている。
【００１６】
図１のＩＣタグ１１を床面に設置したときの断面構造を図２に示す。図示のように、ＩＣタグ１１は、ベースシート１が床面６に接するように敷設され、カバーシート５の上面にはゴムシート製誘導タイル（以下、単にゴムシートという）７が重ねられている。カバーシート５の上面とゴムシート７とは、柔軟性を有するブチルテープ８で貼り合わせて固定してあり、ベースシート１の下面と床面６も、柔軟性を有するブチルテープ８で貼り合わせて固定してある。図２から明らかなように、補強材４は、ＩＣチップ２及びアンテナコイル３より厚みがあり、ＩＣチップ２の両側を挟むように、また、アンテナコイル３の両側を挟むように設けられている。
【００１７】
図２を用いて本発明の作用を説明する。
【００１８】
ＩＣタグ１１を設置した床面６を人が往来し、ハイヒール靴のヒール１０がたまたまＩＣタグ１１を敷き込んだゴムシート７のＩＣチップ２或いはアンテナコイル３の直上に載ってしまったとする。従来であったならば、このヒール１０による局所的な圧力がＩＣチップ２やアンテナコイル３にもろに加わることになる。しかし、本発明では、ＩＣチップ２及びアンテナコイル３の近隣にこれらＩＣチップ２及びアンテナコイル３よりも厚さのやや厚い補強材４を配置してあるので、補強材４が圧力を受けることになり、ＩＣチップ２及びアンテナコイル３は圧力を受けることがないので、破損したり断線したりすることがない。しかも、ＩＣタグ１１の厚みは、補強材がなかった図６のものよりやや厚い程度であり、図７のような樹脂ケースを使ったものより顕著に薄くすることができる。
【００１９】
補強材４の材質は、金属やゴムのように可撓性のあるもの以外であれば何でもよく、例えば、ＡＢＳ、ポリカーボネートなどのエンジニアリングプラスチックなら好ましい。
【００２０】
補強材４の圧縮強度は、ハイヒール靴のヒール１０などによる想定される踏みつけの圧力を上回るようにしておけばよく、例えば、１００ｋｇ／ｃｍ2 以上が望ましい。
【００２１】
補強材４とＩＣチップ２及びアンテナコイル３との間隔は、ハイヒール靴のヒール１０などゴムシート７上に載ることが想定される荷重の集中した物品よりも狭くしておけばよく、例えば、１０ｍｍ以下ならば好ましい。
【００２２】
補強材４の厚さは、床面に敷設するのに差し支えない程度にできるだけ薄くする一方、ＩＣチップ２及びアンテナコイル３よりも厚い必要があるので、例えば、ＩＣチップ２（ここではアンテナコイル３より厚いと仮定）より０．２ｍｍ〜０．４ｍｍ程度厚くするのが好ましい。
【００２３】
補強材４の圧縮歪みの大きさは、上記厚さを考慮すると、０．２ｍｍ以下とするのが好ましい。
【００２４】
補強材４の構造は、図２では断面角状とし、図１のように板材で実現してもよいが、図３に示されるように、断面円状とするべく丸棒材を寝かせて配置してもよい。即ち、ＩＣチップ２及びアンテナコイル３の近隣に、これらＩＣチップ２及びアンテナコイル３の厚さよりも太い経を有する丸棒材からなる補強材４ａを配置してもよい。
【００２５】
補強材４の配置パターンは、図１のようにＩＣチップ２及びアンテナコイル３の周囲を切れ目なく縁取るよう、連続体の補強材４を構成してもよいが、図４に示されるように、アンテナコイル３の内側部分のほぼ全面を均一な厚さで覆う補強材４ｂを配置してもよい。また、図５に示されるように、不連続体で凹凸や折れ曲がりの少ない単調な形状の複数の補強材４ｃを組み合わせ配置してもよい。
【産業上の利用可能性】
【００２６】
本発明は、特許文献１に開示されている視覚障害者誘導・警告情報通知システムにおいて圧力耐久性の高い床面設置用に好適なＩＣタグを提供する。また、このような床面設置のＩＣタグに限らず、物流、店舗、家庭用品など様々の分野において、衝撃や荷重に対して耐性のある優れたＩＣタグを提供することができる。
【図面の簡単な説明】
【００２７】
【図１】本発明の一実施形態を示す床面設置用ＩＣタグの透視斜視図である。
【図２】本発明の一実施形態を示す床面設置用ＩＣタグの側断面図である。
【図３】本発明の一実施形態を示す床面設置用ＩＣタグの側断面図である。
【図４】本発明の一実施形態を示す床面設置用ＩＣタグの平断面図である。
【図５】本発明の一実施形態を示す床面設置用ＩＣタグの平断面図である。
【図６】従来のＩＣタグの側断面図である。
【図７】従来の床面設置用ＩＣタグの側断面図である。
【符号の説明】
【００２８】
１  ベースシート
２  ＩＣチップ
３  アンテナコイル
４，４ａ，４ｂ，４ｃ  補強材
５  カバーシート
６  床面
７  ゴムシート製誘導タイル
８  ブチルテープ
【図１】
2005100114.tif 000003
【図２】
2005100114.tif 000004
【図３】
2005100114.tif 000005
【図４】
2005100114.tif 000006
【図５】
2005100114.tif 000007
【図６】
2005100114.tif 000008
【図７】
2005100114.tif 000009